(57)【要約】【課題】酸素溶解膜内から水中への酸素供給量を必要最小限とし、酸素含有ガス供給のための動力コストを低くすることができる好気性生物処理装置の運転方法を提供する。【解決手段】好気性生物処理装置１は、反応槽（槽体）２と、該反応槽内に充填された流動床担体と、該反応槽２の下部に水平に設置された透水板３と、該透水板３の上側に形成された大径粒子層４と、該大径粒子層４の上側に形成された小径粒子層５と、該小径粒子層５の上側に配置された酸素溶解膜モジュール６と、前記透水板３の下側に形成された受入室７と、該受入室７内に原水を供給する原水散布管８と、受入室７内において散気を行うように設置された散気管９等を有する。処理水のＤＯが１ｍｇ／Ｌ以下となるようにブロワ２６を制御する。【選択図】図１
2019141786.tif 000002
【特許請求の範囲】
【請求項１】
反応槽と、
該反応槽内に充填された流動床担体と、
該反応槽内に設置された酸素溶解膜モジュールと、
該酸素溶解膜モジュールに酸素含有ガスを供給する酸素含有ガス供給手段と、
を備えてなる好気性生物処理装置の運転方法であって、
該反応槽の上部清澄領域の処理水又は該反応槽から流出する処理水の溶存酸素濃度を測定し、この溶存酸素濃度が１ｍｇ／Ｌ以下となるように酸素含有ガス供給手段を制御する好気性生物処理装置の運転方法。
【請求項２】
前記溶存酸素濃度が０．０１〜１ｍｇ／Ｌとなるように制御を行う請求項１の好気性生物処理装置の運転方法。
【請求項３】
前記溶存酸素濃度が０．２〜１ｍｇ／Ｌとなるように制御を行う請求項１の好気性生物処理装置の運転方法。
【請求項４】
酸素溶解膜モジュールは非多孔質の酸素溶解膜を備えている請求項１ないし３のいずれかの好気性生物処理装置の運転方法。
【請求項５】
酸素溶解膜が疎水性である請求項４に記載の好気性生物処理装置の運転方法。
【発明の詳細な説明】
【技術分野】
【０００１】
本発明は、有機性排水の好気性生物処理装置の運転方法に関する。
【背景技術】
【０００２】
好気性生物処理方法は安価であるため有機性廃水の処理法として多用されている。本方法では、被処理水への酸素の溶解が必要であり、通常は散気管による曝気が行われている。
【０００３】
散気管による曝気は溶解効率が５〜２０％程度と低い。また、散気管の設置される水深にかかる水圧以上の圧力で曝気することが必要であり、高圧で多量の空気を送風するため、ブロワの電力費が高い。通常は、好気性生物処理における電力費の２／３以上が酸素溶解のために使用されている。
【０００４】
中空糸膜を用いたメンブレンエアレーションバイオリアクター（ＭＡＢＲ）は、気泡の発生なしで酸素溶解できる。ＭＡＢＲでは、水深にかかる水圧よりも低い圧力の空気を通気すればよいため、ブロワの必要圧力が低く、また、酸素の溶解効率が高い。
【先行技術文献】
【特許文献】
【０００５】
【特許文献１】特開２００６−８７３１０号公報
【発明の概要】
【発明が解決しようとする課題】
【０００６】
本発明は、酸素溶解膜内から水中への酸素供給量を必要最小限とし、酸素含有ガス供給のための動力コストを低くすることができる好気性生物処理装置の運転方法を提供することを目的とする。また、本発明は、その一態様において、余剰汚泥の生成量を減少させることができる好気性生物処理装置の運転方法を提供することを目的とする。
【課題を解決するための手段】
【０００７】
本発明の好気性生物処理装置の運転方法は、反応槽と、該反応槽内に充填された流動床担体と、該反応槽内に設置された酸素溶解膜モジュールと、該酸素溶解膜モジュールに酸素含有ガスを供給する酸素含有ガス供給手段と、を備えてなる好気性生物処理装置の運転方法であって、該反応槽の上部清澄領域の処理水又は該反応槽から流出する処理水の溶存酸素濃度を測定し、この溶存酸素濃度が１ｍｇ／Ｌ以下となるように酸素含有ガス供給手段を制御する。
【０００８】
本発明の一態様では、前記溶存酸素濃度（ＤＯ）が０．０１〜１ｍｇ／Ｌ特に０．２〜１ｍｇ／Ｌとなるように制御を行う。
【０００９】
本発明の一態様では、酸素溶解膜モジュールは非多孔質の酸素溶解膜を備えている。
【００１０】
本発明の一態様では、酸素溶解膜が疎水性である。
【００１１】
本発明の一態様では、反応槽内に流動床担体が充填されている。
【発明の効果】
【００１２】
本発明の好気性生物処理装置の運転方法では、処理水のＤＯが１ｍｇ／Ｌ以下となるように制御することにより、酸素含有ガスの供給量が過剰とならず、酸素含有ガスの供給のための動力コスト（例えばブロワの電力コスト）を低減することができる。
【００１３】
処理水のＤＯが０．０１ｍｇ／Ｌ〜１ｍｇ／Ｌであれば、酸素含有ガスの供給不足が防止される。処理水のＤＯが０．２〜１ｍｇ／Ｌであれば、反応槽内のワムシの個体数が増え反応槽の汚泥がワムシ等の微小動物で捕食されるので、余剰汚泥が減少する。
【図面の簡単な説明】
【００１４】
【図１】実施の形態に係る生物処理装置の縦断面図である。
【図２】（ａ）は酸素溶解膜ユニットの側面図、（ｂ）は酸素溶解膜ユニットの斜視図である。
【発明を実施するための形態】
【００１５】
以下、図面を参照して本発明についてさらに詳細に説明する。
【００１６】
図１は実施の形態に係る好気性生物処理装置１の縦断面図である。この好気性生物処理装置１は、反応槽（槽体）２と、該反応槽２の下部に水平に設置されたパンチングプレート等の多孔板や、平板に複数の分散ノズルを均等に設けたものなどの透水板３と、該透水板３の上側に形成された大径粒子層４と、該大径粒子層４の上側に形成された小径粒子層５と、小径粒子層５の上側に粉粒状活性炭等の生物付着担体の充填により形成された流動床Ｆと、流動床Ｆ内に少なくとも一部が配置された酸素溶解膜モジュール６と、前記透水板３の下側に形成された受入室７と、該受入室７内に原水を供給する原水散布管８と、充填層の洗浄時に逆洗のためのガス等が供給される洗浄配管９と、酸素溶解膜モジュール６に空気等の酸素含有ガスを供給するためのブロワ２６等を有する。反応槽２の上部には、処理水を流出させるためのトラフ１０及び流出口１１が設けられている。トラフ１０は槽内壁に沿って環状流路を形成している。
【００１７】
この反応槽２の上部か、又は流出口１１に連なる処理水取出用配管１２にＤＯ計１３が設置され、その検出信号がブロワ制御器１４に入力されている。
【００１８】
図１は、反応槽に流動床担体を充填して、酸素溶解膜の表面への生物膜の付着を担体の流動による剪断力によって抑制して生物膜の大部分が流動床担体に付着するようにしたものであり、このとき、酸素溶解膜は酸素供給の目的のみに用いられる。一方、図示しないが、反応槽に流動床担体を充填しないときは、酸素溶解膜はＭＡＢＲとして作用する、つまり酸素溶解膜の表面に生物膜が付着して酸素溶解膜の一次側から溶解・供給された酸素が二次側の生物膜に消費されて好気性生物処理が行われる。
【００１９】
図１では、酸素溶解膜として非多孔質（ノンポーラス）の酸素溶解膜を用い、酸素含有気体を槽外から配管を通じて酸素溶解膜の一次側に通気して、排気は配管を通じて槽外に排出するように構成している。そのため、酸素含有気体を、低圧で酸素溶解膜に通気し、酸素を酸素分子として酸素溶解膜の構成原子の間を通過し（膜に溶解し）、酸素分子として被処理水と接触させる（水に直接溶解させるので気泡を生じない）という、いわば濃度勾配による分子拡散のメカニズムを用いた処理を行っているため、従来のように散気管などによる散気が不要となる。
【００２０】
また酸素溶解膜として疎水性の素材を用いると膜中に浸水しづらいので好ましいが、疎水性であっても微量の水蒸気の侵入は免れない。
【００２１】
図２は、酸素溶解膜モジュール６の一例を示している。この酸素溶解膜モジュール６は酸素溶解膜として非多孔質の中空糸膜２２を用いたものである。この実施の形態では、中空糸膜２２は上下方向に配列されており、各中空糸膜２２の上端は上部ヘッダー２０に連なり、下端は下部ヘッダー２１に連なっている。中空糸膜２２の内部は、それぞれ上部ヘッダー２０及び下部ヘッダー２１内に連通している。各ヘッダー２０，２１は中空管状である。なお、平膜やスパイラル膜を用いる場合にも、通気方向が上下方向となるように配列されることが望ましい。
【００２２】
図２（ｂ）の通り、１対のヘッダー２０，２１と中空糸膜２２とからなるユニットが複数個平行に配列されている。図２（ａ）の通り、各上部ヘッダー２０の一端又は両端が上部マニホルド２３に連結され、各下部ヘッダー２１の一端又は両端が下部マニホルド２４に連結されていることが好ましい。
【００２３】
この実施の形態では、ブロワ２６から給気配管２７を介して酸素溶解膜モジュール６の下部に酸素含有ガスとして空気を供給し、酸素溶解膜モジュール６の上部から非透過ガスを排ガス配管２８から排出する。空気等の酸素含有ガスは下部ヘッダー２１から中空糸膜２２を通って上部ヘッダー２０へ流れ、この間に酸素が中空糸膜２２を透過して反応槽２内の水に溶解する。
【００２４】
このブロワ２６からの空気の供給量は、制御器１４によって制御される。
【００２５】
各ヘッダー２０，２１及び各マニホルド２３，２４は流水勾配を有するように設けられてもよい。酸素溶解膜モジュール６は上下に多段に設置されてもよい。
【００２６】
この酸素溶解膜モジュール６に空気を供給するために、ブロワ２６と給気配管２７とが設けられており（酸素含有ガス供給手段を構成）、該給気配管２７が下部マニホルド２４に接続されている。上部マニホルド２３には排ガス配管２８が接続されている。
【００２７】
このように構成された好気性生物処理装置１において、原水は散布管８を通じて受入室７に導入され、透水板３及び大径・小径の粒子層４，５を上向流通水されてＳＳが濾過され、次いで生物膜付着の粉粒状活性炭の流動床Ｆにおいて、一過式で上向流通水され生物反応を行って上部清澄領域からトラフ１０と流出口１１を通じて処理水として取り出される。
【００２８】
給気配管２７から供給された空気等の酸素含有気体は、酸素溶解膜モジュール６を上向流通気した後、酸素溶解モジュール６の上端位置より流出し、排空気は排ガス配管２８から大気中へ排出される。
【００２９】
本発明では、活性炭等の生物担体の流動床に非多孔性の酸素溶解膜を設置することで、供給酸素量が多くなるため、対象とする原水の有機性排水濃度に上限が無い。
【００３０】
また、生物担体を流動床で運転するため、激しい撹乱にさらされることがない。したがって、多量の生物を安定して維持できるため、負荷を高くとることができる。
【００３１】
また、本発明では酸素溶解膜を使用するため、プリエアレーション、直接曝気と比較すると、酸素の溶解動力が小さい。
【００３２】
これらのことから、本発明によると、低濃度から高濃度までの有機性排水を高負荷で、かつ安価に処理することが可能となる。
【００３３】
＜生物担体＞
生物担体としては、活性炭が好適である。
【００３４】
流動床担体の充填量は反応槽の容積の３０〜７０％程度、特に４０〜６０％程度が好ましい。この充填量は、多いほうが生物量が多く活性は高いが、多すぎると担体が流出するおそれがある。従って、流動床が２０〜５０％程度展開するＬＶ（例えば７〜３０ｍ／ｈｒ特に８〜１５ｍ／ｈｒ程度）で通水するのが良い。
【００３５】
なお、流動床担体として活性炭以外のゲル状物質、多孔質材、非多孔質材等も同様の条件で使用できる。例えば、ポリビニルアルコールゲル、ポリアクリルアミドゲル、ポリウレタンフォーム、アルギン酸カルシウムゲル、ゼオライト、プラスチック等も用いることができる。ただし、担体として活性炭を用いると、活性炭の吸着作用と生物分解作用による相互作用により、広範囲な汚濁物質の除去を行うことが可能である。
【００３６】
活性炭の平均粒径は０．２〜１．２ｍｍ特に０．３〜０．６ｍｍ程度が好ましい。平均粒径が大きいと高ＬＶとすることが可能であり、処理水の一部を反応槽に循環する場合は循環量を増やせるため高負荷が可能となる。しかし、比表面積が小さくなるため、生物量が少なくなる。平均粒径が小さいと、低ＬＶで流動できるため、ポンプ動力が安価となる。かつ、比表面積が大きいため、付着生物量が増える。
【００３７】
最適粒径は廃水の濃度にも依存し、ＴＯＣ：５０ｍｇ／Ｌであれば０．２〜０．４ｍｍ程度が好ましい。
【００３８】
流動床の展開率は、２０〜５０％程度が好ましい。展開率が２０％よりも低いと、目詰まり、短絡のおそれがある。展開率が５０％よりも高いと、担体の流出のおそれがあると共に、ポンプ動力コストが高くなる。
【００３９】
通常の生物活性炭では、活性炭流動床の展開率は１０〜２０％程度であるがこの場合、活性炭の流動状態が不均一で上下左右に流動する。結果として同時に設置した膜が活性炭によってこすられ、すり減って消耗することになる。これを防止するため、本発明では、活性炭等の流動床担体は十分に流動させることが必要で、展開率は２０％以上とするのが望ましい。このため、担体の粒径は通常の生物活性炭よりも小さいほうが好ましい。なお、活性炭の場合、やしがら炭、石炭、木炭等、特に限定されない。形状は球状炭が好ましいが、通常の粒状炭や破砕炭でも良い。
【００４０】
＜酸素含有ガス＞
酸素含有ガスは空気、酸素富化空気、純酸素等、酸素を含む気体であればよい。通気する気体はフィルターを通過させて微細粒子を予め除去することが望ましい。
【００４１】
通気量はＤＯ計１３で検出されるＤＯが１ｍｇ／Ｌ以下となるようにする。このように処理水ＤＯを１ｍｇ／Ｌ以下とすることにより、ブロワ２６の消費電力を抑制することができる。また、ＤＯがほぼ０ｍｇ／Ｌであると、硝化と脱窒とが同時に進行するため、生物処理効率が向上する。なお、ＤＯが過度に多くなると、活性炭に付着する生物膜が肥大化し、生物膜の深部にまで酸素が行き届かなくなり、生物膜深部が嫌気化して生物反応効率が低下するおそれがある。また、肥大化した生物膜付着活性炭が反応槽外に流失するおそれもある。
【００４２】
ＤＯの下限値は、０（ゼロ）でもよいが、好気処理に必要な酸素が供給されていることを確認するために、０．０１ｍｇ／Ｌ以上特に０．２ｍｇ／Ｌ以上であることが好ましい。
【００４３】
本発明の一態様では、ＤＯ計１３の検出ＤＯが０．２〜１ｍｇ／Ｌとなるようにする。ＤＯを０．２ｍｇ／Ｌ以上とすることにより、反応槽２内のワムシ生育量が増加し、ワムシによって汚泥が捕食され、汚泥が減容され、余剰汚泥が少なくなる。
【００４４】
本発明では、ＤＯが１ｍｇ／Ｌ以下となるように酸素含有ガス供給量を少なくするところから、酸素含有ガスを中空糸膜２２に上向きに流すことが好ましい。これは、反応槽１内では、下部に原水が供給されるため、下部ほど膜透過酸素量が多いことが好ましいためである。酸素含有ガスを中空糸膜２２の下端に供給すると、中空糸膜２２内の下部ほど酸素分圧が高く、上部になる程（酸素が透過して水中に溶解していくため）酸素分圧が低くなる。反応槽２内の上部ほど、水中のＴＯＣ成分濃度は低くなるので、中空糸膜２２内の酸素分圧が中空糸膜２２上部で低くなり、それ故に中空糸膜２２を透過する酸素の透過速度が小さくなっても、生物処理に必要な量の酸素が中空糸膜２２を透過して水中に供給される。
【００４５】
なお、空気等の酸素含有ガスを中空糸膜２２に上向きに流すと、酸素含有ガスからの凝縮水が中空糸膜２２内に滞留するおそれがある。
【００４６】
そこで、本発明では、凝縮水を酸素透過膜モジュールの下部から流出させるための排水用配管を下部マニホルド２４に接続し、通常運転時は酸素含有ガスを上向きに供給し、間欠的に酸素含有ガスを下向きに流し、凝縮水を排出する凝縮水排出運転を行うようにしてもよい。
【００４７】
＜被処理水の流速＞
被処理水の反応槽内の流速はＬＶ７ｍ／ｈｒ以上とし、ＴＯＣ濃度２０ｍｇ／Ｌ以下の低濃度排水では処理水を循環せず、ワンパスで処理することもできる。一過式で処理するとポンプ動力削減することができる。
【００４８】
ＬＶを高くすると、それに比例して酸素溶解速度が向上する。ＬＶが高い場合は、粒径が大きい活性炭を使い、展開率をあまり大きくしないようにするのが好ましい。生物量、酸素溶解速度から、最適ＬＶ範囲は７〜３０ｍ／ｈｒ特に８〜１５ｍ／ｈｒ程度である。
【００４９】
＜滞留時間＞
槽負荷０．５〜４ｋｇ−ＴＯＣ／ｍ３／ｄａｙとなるように滞留時間を設定するのが好ましい。
【００５０】
＜ブロワ＞
ブロワは、吐出風圧が水深からくる水圧以下のもので十分である。但し、配管等の圧損以上であることは必要である。通常、配管抵抗は１〜２ｋＰａ程度である。
【００５１】
５ｍの水深の場合、通常は０．５５ＭＰａ程度までの出力の汎用ブロワが用いられ、それ以上の水深では高圧ブロワが用いられてきている。
【００５２】
本発明では、５ｍ以上の水深であっても０．５ＭＰａ以下の圧力の汎用ブロワを用いることができ、０．１ＭＰａ以下の低圧ブロワを用いることが好ましい。
【００５３】
酸素含有ガスの供給圧は、中空糸膜の圧力損失より高く、さらに膜が水圧でつぶれないこと、が条件となる。平膜、スパイラル膜は膜の圧損が水圧と比較すると無視できるため、極めて低い圧力、５ｋＰａ程度以上、水深圧力以下、望ましくは２０ｋＰａ以下である。
【００５４】
中空糸膜の場合、内径と長さによって圧力損失は変化する。通気する空気量は膜１ｍ２あたり５０〜２００ｍＬ／ｄａｙであるから、膜長さが２倍になると空気量は２倍になり、膜径が２倍になっても空気量は２倍にしかならない。したがって、膜の圧力損失は膜長さに正比例し、直径に反比例する。
【００５５】
圧力損失の値は、内径５０μｍ、長さ２ｍの中空糸で３〜２０ｋＰａ程度である。
【符号の説明】
【００５６】
１  好気性生物処理装置
２  反応槽
６  酸素溶解膜モジュール
１３  ＤＯ計
２０，２１  ヘッダー
２２  中空糸膜
２６  ブロワ
２７  給気配管
２８  排ガス配管
【図１】
2019141786.tif 000003
【図２】
2019141786.tif 000004
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
反応槽と、
該反応槽内に充填された流動床担体と、
該反応槽内に設置された酸素溶解膜モジュールと、
該酸素溶解膜モジュールに酸素含有ガスを供給する酸素含有ガス供給手段と、
を備えてなる好気性生物処理装置の運転方法であって、
該酸素溶解膜モジュールは非多孔質の酸素溶解膜を備えており、
該反応槽の上部清澄領域の処理水又は該反応槽から流出する処理水の溶存酸素濃度を測定し、この溶存酸素濃度が１ｍｇ／Ｌ以下となるように前記酸素含有ガス供給手段を制御する好気性生物処理装置の運転方法。
【請求項２】
前記溶存酸素濃度が０．０１〜１ｍｇ／Ｌとなるように制御を行う請求項１の好気性生物処理装置の運転方法。
【請求項３】
前記溶存酸素濃度が０．２〜１ｍｇ／Ｌとなるように制御を行う請求項１の好気性生物処理装置の運転方法。
【請求項４】
前記酸素溶解膜が疎水性である請求項１〜３のいずれかに記載の好気性生物処理装置の運転方法。
【請求項５】
前記酸素溶解膜は、中空糸膜であり、該中空糸膜内に前記酸素含有ガスが供給され、酸素分子が膜に溶解し、酸素分子として前記反応槽内の水に直接に溶解する請求項１〜４のいずれかの好気性生物処理装置の運転方法。